(57)【要約】【課題】  本発明は、Ｗ−ＣＤＭＡ無線基地局装置における報知情報更新動作において、報知情報更新要求を受信したタイミングおよび更新された送信データの送信ＳＦＮに影響されずに指定された送信開始タイミング以降の送信を行うことを目的とする。【解決手段】  報知情報送信データの格納用バッファを現用と待機の２面持ち、報知情報更新要求を受信したタイミングで待機バッファへ格納し、各ＳＦＮタイミングにて送信すべきデータが現用側なのか待機側なのかを送信開始タイミングから判断することにより実現する。【選択図】  図１
2006279342.tif 000002
【特許請求の範囲】
【請求項１】
無線基地局装置から移動機に対して送信する報知情報の送信処理において、無線基地局における報知情報送信データの更新の際に、送信開始タイミングを考慮しながら必要なデータのみを更新することを特徴とする送信データ更新方法。
【請求項２】
前記無線基地局装置は、
送信するデータを保持する第１の記憶領域と、
更新されたデータを一時的に保持する第２の記憶領域とを有し、
前記報知情報送信データの更新において、
前記第１の記憶領域からデータを読み出すタイミングを定める第１の送信タイミングと、前記第２の記憶領域に保持されたデータを前記第１の記憶領域に移動させるタイミングを定める第２の送信タイミングとに基づいて、更新されたデータを有効とするタイミングを制御することを特徴とする請求項１に記載の送信データ更新方法。
【請求項３】
前記第１の送信タイミングが前記第２の送信タイミングより前である場合には、前記第１の記憶領域からデータを読み出した後に、前記第２の記憶領域のデータを前記第１の記憶領域に移動させ、
前記第２の送信タイミングが前記第１の送信タイミングより前である場合には、前記第２の記憶領域のデータを前記第１の記憶領域に移動させた後に、前記第１の記憶領域からデータを読み出すことを特徴とする請求項２に記載の送信データ更新方法。
【請求項４】
送信するデータを保持する第１の記憶領域と、
更新されたデータを一時的に保持する第２の記憶領域とを有するデータ送信装置に、
前記第１の記憶領域からデータを読み出すタイミングを定める第１の送信タイミングと、前記第２の記憶領域に保持されたデータを前記第１の記憶領域に移動させるタイミングを定める第２の送信タイミングとに基づいて、更新されたデータを有効とするタイミングを制御する送信データ更新プログラム。
【請求項５】
前記第１の送信タイミングが前記第２の送信タイミングより前である場合には、前記第１の記憶領域からデータを読み出した後に、前記第２の記憶領域のデータを前記第１の記憶領域に移動させ、
前記第２の送信タイミングが前記第１の送信タイミングより前である場合には、前記第２の記憶領域のデータを前記第１の記憶領域に移動させた後に、前記第１の記憶領域からデータを読み出すことを特徴とする請求項４に記載の送信データ更新プログラム。
【請求項６】
送信するデータを保持する第１の記憶領域と、
更新されたデータを一時的に保持する第２の記憶領域とを有し、
前記第１の記憶領域からデータを読み出すタイミングを定める第１の送信タイミングと、前記第２の記憶領域に保持されたデータを前記第１の記憶領域に移動させるタイミングを定める第２の送信タイミングとに基づいて、更新されたデータを有効とするタイミングを制御することを特徴とするデータ送信装置。
【請求項７】
前記第１の送信タイミングが前記第２の送信タイミングより前である場合には、前記第１の記憶領域からデータを読み出した後に、前記第２の記憶領域のデータを前記第１の記憶領域に移動させ、
前記第２の送信タイミングが前記第１の送信タイミングより前である場合には、前記第２の記憶領域のデータを前記第１の記憶領域に移動させた後に、前記第１の記憶領域からデータを読み出すことを特徴とする請求項６に記載のデータ送信装置。
【請求項８】
移動端末と基地局を有するシステムであって、
前記基地局は、
前記移動端末に送信するデータを保持する第１の記憶領域と、
更新されたデータを一時的に保持する第２の記憶領域とを有し、
前記第１の記憶領域からデータを読み出すタイミングを定める第１の送信タイミングと、前記第２の記憶領域に保持されたデータを前記第１の記憶領域に移動させるタイミングを定める第２の送信タイミングとに基づいて、更新されたデータを有効とするタイミングを制御することを特徴とするデータ送信システム。
【請求項９】
前記第１の送信タイミングが前記第２の送信タイミングより前である場合には、前記第１の記憶領域からデータを読み出した後に、前記第２の記憶領域のデータを前記第１の記憶領域に移動させ、
前記第２の送信タイミングが前記第１の送信タイミングより前である場合には、前記第２の記憶領域のデータを前記第１の記憶領域に移動させた後に、前記第１の記憶領域からデータを読み出すことを特徴とする請求項８に記載のデータ送信システム。
【発明の詳細な説明】
【技術分野】
【０００１】
本発明は、Ｗ−ＣＤＭＡ無線基地局装置の報知情報送信における送信データ更新方法、プログラム、装置及びシステムに関する。
【背景技術】
【０００２】
Ｗ−ＣＤＭＡ無線基地局装置では、各種制御情報を送信データとして載せた報知情報を常時当該基地局エリア内の移動機に対して送信している。また、この報知情報は上位局からの指示や無線通信状態等により頻繁に更新される。
【０００３】
また、報知情報は、ＳＦＮ(System Frame Number)を基準とした送信タイミング制御を行っており、各送信データは送信すべきＳＦＮが指定される為、送信データの更新は送信タイミングを考慮して実施する必要がある。
【０００４】
ここでＳＦＮを利用した特許文献を挙げる。
特許文献１ではシステムを安定させる目的で現用系と待機系の２つのユニットが用意され、ＳＦＮが情報送信フレームの区別及びタイムアウトの値を設定する為に利用されている。
【特許文献１】米国特許第６５６７３７６号明細書
【発明の開示】
【発明が解決しようとする課題】
【０００５】
報知情報の更新は上位局からの指示により定期的に行われ、また更新した報知情報の全てのデータが送信されてから次の更新が行われる。しかし、上位局からの要求や無線通信の状態等によって、前回の報知情報の全ての送信データの送信が完了する前に次の更新が行われる場合がある。
【０００６】
この場合、送信タイミング毎に用意した送信データの格納エリアを直接書き換える方法が考えられるが、現在送信処理を行っているデータを書き換えてしまう為、新しい報知情報を有効とするタイミングを制御することが出来ない。
【０００７】
本発明は、上記の課題について検討したもので、送信タイミング毎に用意する送信データ格納エリアを２面化することにより、送信データを有効とするタイミングを考慮した送信データ更新方法を提供することを目的とする。
【課題を解決するための手段】
【０００８】
本発明は、上記の目的を達成する為、上位局から受信した報知情報の送信データを保持するバッファを現用系（第１の記憶領域）と待機系（第２の記憶領域）の２面構成とし、また送信開始タイミングを制御する為に各バッファには送信データの他に送信タイミングも保持する構成とする。
【０００９】
上記送信データ保持用の現用系バッファは、現在送信している報知情報の送信データを格納する為のバッファであり、報知情報の更新が行われない限りは現用系のバッファに格納されている送信データを各ＳＦＮタイミングで送信し続ける。また、待機系の送信データ格納バッファは、報知情報更新時の一時待機バッファであり、報知情報更新時には一旦待機系バッファに格納される。その後、当該送信データの送信開始タイミングに到達した際に現用系バッファに格納され、以降は現用系バッファの送信データとして各ＳＦＮタイミングで送信が継続される。
【００１０】
データ更新の処理は以下のように行われる。ＳＦＮの値（第１の送信タイミング）が送信開始タイミング（第２の送信タイミング）より前である場合には、現用系のバッファからデータを読み出した後に、待機系のバッファのデータを現用系のバッファに移動させ、送信開始タイミングがＳＦＮの値より前である場合には、待機系のバッファのデータを現用系のバッファに移動させた後に、現用系のバッファからデータを読み出す。
【発明の効果】
【００１１】
本発明によれば、新しい報知情報を有効とするタイミングが制御されて必要なデータのみが更新される。更に更新された報知情報は確実に移動機に送信される。
【発明を実施するための最良の形態】
【００１２】
次に、本発明の実施の形態について図面を参照して詳細に説明する。
【００１３】
図１は、報知情報送信におけるＷ−ＣＤＭＡ無線基地局装置の上位局および移動機との関係を表している。報知情報は、上位局から更新要求を受け、移動機に対して送信している。
【００１４】
図２は、報知情報の構成とＳＦＮの関係を表している。報知情報の送信データは送信すべきＳＦＮタイミングが指定されており、また指定されたＳＦＮタイミングで当該送信データを送信し続ける。
【００１５】
図３は、上位局から報知情報更新要求を受信した時のＷ−ＣＤＭＡ無線基地局の動作を表したシーケンスフローである。報知情報更新要求を受信した場合、受信した送信データは一旦待機系バッファに格納される。また、各ＳＦＮタイミングにて送信データの送信処理を開始する契機の為にＳＦＮの間隔である１０ｍｓのインターバルタイマを起動する。
【００１６】
図４は、送信データを格納するバッファを表している。送信バッファは現在送信中の送信データを格納する為の現用系バッファと報知情報更新要求受信時に一時的に格納する待機系バッファの２面を持っている。本実施形態においては現用系及び待機系バッファはそれぞれ現用側及び待機側バッファと呼ばれることもある。また、待機系のバッファに格納されている送信データは図５に示すように送信開始タイミングが送信データと合わせて格納されており、送信開始タイミングに到達した時点で現用系バッファに移動すると共に送信を行う。その後は現用系バッファのデータとして送信が継続される。データを現用系バッファに移動する際には、現用系バッファにあったデータは上書きされることになる。
【００１７】
図６は、ＳＦＮタイミング毎にタイムアウトが通知されるインターバルタイマのタイムアウト時の動作を表している。
【００１８】
＜動作の説明＞
まず、報知情報更新におけるシステム動作について図１および図２を用いて説明する。報知情報の更新は、上位局１からの指示もしくはＷ−ＣＤＭＡ無線基地局装置２における無線通信状態の測定結果により行われる。上位局１からの指示によって行われる場合、上位局１と接続されたＷ−ＣＤＭＡ無線基地局装置２に対して報知情報の更新要求が通知される。報知情報更新要求を通知されたＷ−ＣＤＭＡ無線基地局装置２は自エリアであるセル４内に更新された報知情報を送信する。全ての移動機３ａ、３ｂ、３ｃ、・・・は常に報知情報を受信しており、Ｗ−ＣＤＭＡ無線基地局装置２にて更新された報知情報が送信されることにより、即時更新された内容による動作を開始する。
【００１９】
また、報知情報は送信ＳＦＮ毎に送信するデータが指定されており、ＳＦＮ周期で更新された報知情報を送信し続ける。図２で表されるようにＳＦＮは0〜4095の範囲内の値で、１０ｍｓ周期で更新されており、4095の次は0に戻る。報知情報の更新がＷ−ＣＤＭＡ無線基地局装置における無線通信状態の測定結果により行われる場合も更新のトリガが異なるのみで、その後の動作は同様である。
【００２０】
次に、Ｗ−ＣＤＭＡ無線基地局装置が報知情報更新要求を受信した際の動作を、図３を用いて説明する。報知情報更新要求を受信したＷ−ＣＤＭＡ無線基地局装置は、受信した報知情報をＳＦＮタイミング毎に設けた送信用バッファに送信データとして格納する（ステップ３０１）。送信用バッファは図４で表されるように、現在送信しているデータが格納されている現用系バッファと、上位からの報知情報更新要求を受信したが送信開始タイミングに到達していない送信データを格納する待機系バッファとがある。またどちらのバッファもＳＦＮ毎に送信データを格納する4096個に分割されたバッファを持っている。報知情報更新要求を受信した時は、待機系バッファにデータを格納する。格納後、１０ｍｓ周期のＳＦＮ更新タイミング毎に起動するインターバルタイマを設定する（ステップ３０２）。本インターバルタイマは、１０ｍｓ周期でタイムアウト通知を行う。この為、Ｗ−ＣＤＭＡ無線基地局装置ではそのタイムアウト通知を契機に各ＳＦＮタイミングでの報知情報送信処理を行う。
【００２１】
ここで報知情報の各送信データについて説明する。送信データは図５に示すようにそれぞれ送信開始タイミングを持っており、指定されたＳＦＮに到達した時点から送信を開始する。例えば、ＳＦＮ＝1000の時点で「送信ＳＦＮ＝2000かつ送信開始タイミング＝500」の送信データを報知情報更新要求にて受信した場合、次の送信ＳＦＮ＝2000のタイミングでは送信を開始せずに送信開始タイミング＝500を一度経過した次々回の送信ＳＦＮ＝2000のタイミングにて送信を行う必要がある。送信ＳＦＮとはデータを実際の送信するタイミングを示し、送信開始タイミングとは送信の準備を始めるタイミングのことである。
【００２２】
本発明では、上記のような場合に送信データ格納バッファを２面持つことにより報知情報の更新と送信開始タイミングを意識した送信動作を可能とする。送信データ格納バッファは物理的に独立した２つの記憶装置を利用してもよい。
【００２３】
上述したように、報知情報更新要求を受信した場合、一旦待機バッファに格納し、インターバルタイマを起動する(図３参照)。インターバルタイマのタイムアウト通知後の動作について、図６を用いて説明する。
【００２４】
タイムアウト通知を受けたら、タイムアウト時のＳＦＮを確認する（ステップ６０１）。確認したＳＦＮの待機側バッファに送信データが確認されていない場合は（ステップ６０２／ＮＯ）、現用側バッファの送信データを送信する（ステップ６０３）。待機側バッファに送信データが格納されていた場合（ステップ６０２／ＹＥＳ）、送信データ毎に指定されている送信開始タイミングと読み出したＳＦＮ値を比較し、送信開始タイミングの方が後の場合は（ステップ６０４／ＮＯ）、現用側バッファに保持している送信データを送信後（ステップ６０５）、待機側バッファの送信データを現用側バッファに移動する（ステップ６０６）。上記の例で当てはめると、読み出したＳＦＮとはＳＦＮ＝1000のことである。
【００２５】
また、送信開始タイミングの方が前の場合は（ステップ６０４／ＹＥＳ）、待機側バッファの送信データを現用側バッファに移動後（ステップ６０７）、現用側バッファの送信データを送信する（ステップ６０８）。この動作により、送信開始タイミングを意識した報知情報の更新が可能となる。
【００２６】
上記のアルゴリズムはＲＯＭ等のメモリにプログラムとして保持し、これに従い無線基地局装置の処理を制御してもよい。
【００２７】
以上に説明した通り、本発明は、報知情報更新要求を受信したタイミングや送信ＳＦＮによらずに、指定された送信開始タイミング後の報知情報の更新が行える為、上位局から指定されたタイミングで確実に更新された報知情報の送信が行えるという特徴を有するものである。
【図面の簡単な説明】
【００２８】
【図１】本発明を適用するシステムの概略図である。
【図２】報知情報およびＳＦＮの構成図である。
【図３】報知情報更新要求受信時のシーケンスフローである。
【図４】送信バッファの構成図である。
【図５】送信データの構成図である。
【図６】インターバルタイマタイムアウト時のシーケンスフローである。
【符号の説明】
【００２９】
１    上位局
２    Ｗ−ＣＤＭＡ無線基地局装置
３ａ    移動機
４    セル
【図１】
2006279342.tif 000003
【図２】
2006279342.tif 000004
【図３】
2006279342.tif 000005
【図４】
2006279342.tif 000006
【図５】
2006279342.tif 000007
【図６】
2006279342.tif 000008